(57)【要約】【課題】ストールはマフラーのように防寒対策や衣類の装飾小物であり、これらの用途以外にもっと多くの変化を楽しみたい時などは別に小物や衣類を用意しなければならず、荷物が増えてしまった。  本発明は、ストールやマフラー以外にトップスやボトムスなど、より多くの変化を楽しめるストールを提供する。【解決手段】色違い・デザイン違いの長方形状の２種類の大判ストール生地Ａ・生地Ｂ各々の長辺の一つ同士が接続された形であるが、接続ラインの中央から長手端へ向かって縫合された結合部は、断続的に中心から両端へ対称的に、長短異なる長さで、縫結合部が形成されており、各々の非縫合部は、大小異なる開口部になっており、袖通し開口部と先端交互通し開口部を設けたことを特徴とする３５通り以上の使い方が出来るストール。【選択図】図１
2018003224.tif 000002
【特許請求の範囲】
【請求項１】
色違い・デザイン違いの長方形状の二種類の大判ストール生地Ａ・生地Ｂ各々の長辺の一つ同士が接続された形であるが、接続ラインの中央から長手端へ向かって縫合された結合部は、連続的でなく、断続的に中心から両端へ対称的に、長短異なる長さで、中央部の縫結合部Ｉ・縫結合部ＩＩ・縫結合部ＩＩＩ・末端の縫結合部ＩＶが形成されているのであって、各々の縫結合部相互間の非縫合部は、大小異なる開口部になっており、縫結合部Ｉと縫結合部ＩＩとの間隔は大きく、袖通し開口部を成し、縫結合部ＩＩと縫結合部ＩＩＩとの間隔及び縫結合部ＩＩＩと縫結合部ＩＶとの間隔は共に小さく、左右相互に対称側の長手端をくぐり通すための先端交互通し開口部を成していることを特徴とする３５通り以上の使い方が出来るストール。
【発明の詳細な説明】
【技術分野】
【０００１】  本発明は、ストールに関するものである。
【背景技術】
【０００２】  従来、ストールは、ショールやマフラーのように防寒対策の他に、衣服の装飾品である。
１枚のスカーフ、マフラーの長手中心線の中央部分を開口して巻きつけ安定させ、その様な異なる柄地同士の組み合わせで多様なファッションを演出できるとする中割れスカーフ・マフラーも知られている（特許文献１参照）。
又．異なる色の２枚の長方形のスカーフ生地を、接続ラインが中央にくるように接続し、周縁の四隅角に錘を兼ねた装飾金具を取り付けたスカーフも知られている（特許文献２参照）。
【先行技術文献】
【特許文献】
【０００３】
【特許文献１】特開２０１１−４７０９３号広報
【特許文献２】実開平６−１０３１５号広報
【発明の概要】
【発明が解決しようとする課題】
【０００４】  ストールはショールやマフラーのように防寒対策の他に衣類の小物や装飾品である。
特許文献１の様にスカーフ・マフラーという衣類の装飾の一部である。
特許文献２の様に周縁四隅角に錘を付けた事によってスカーフの乱れを防ぐという方法は、長い大判ストールの場合は、ずり落ちを防ぐ効果や多くの使用法は期待できない。
ストール・ショール・スカーフ・マフラー以外にもっと多くの変化を楽しみたい時などは別に用意しなければならず、荷物が増えてしまった。
本発明は、以上の問題点を解決するためになされたものである。
【課題を解決するための手段】
【０００５】  色違い・デザイン違いの長方形状の２種類の大判ストール生地Ａ・生地Ｂ各々の長辺の一つ同士が接続された形であるが、接続ラインの中央から長手端へ向かって縫合された結合部は、連続的でなく、断続的に中心から両端へ対称的に、長短異なる長さで、中央部の縫結合部Ｉ・縫結合部ＩＩ・縫結合部ＩＩＩ・末端の縫結合部ＩＶが形成されているのであって、各々の縫結合部相互間の非縫合部は、大小異なる開口部になっており、縫結合部Ｉと縫結合部ＩＩとの間隔は大きく、袖通し開口部を成し、縫結合部ＩＩと縫結合部ＩＩＩとの間隔及び縫結合部ＩＩＩと縫結合部ＩＶとの間隔は共に小さく、左右相互に対称側に長手端をくぐり通すための先端交互通し開口部を成す。
以上の構成よりなる３５通り以上の使い方が出来るストール。
【発明の効果】
【０００６】  色違いや柄違いのストールなどを袖を通す開口部などを設け縫合し、ストールやマフラーのように防寒対策や衣類の装飾小物だけでなく、ベスト・ボレロ・チュニック・プルオーバー・カシュクール・サッシュブラウス・パレオ・スカート・サリー風などのように、トップスやボトムスとしても使用可能になり、さらにベルトやピンなどの留め具などを使用せず、ズレたりほどけたりしにくく、３５通り以上の使い方が可能である。
又、ウールや綿やシルクなどのように素材を変えるだけで季節に合わせて使用でき、更にエコとしても手持ちの大判バスタオルなどでも手縫いで簡単に制作可能である。
【図面の簡単な説明】
【０００７】
【図１】発明を展開した状態で示す平面図
【図２】本発明の使用状態を示す正面図
【発明を実施するための形態】
【０００８】  以下、本発明の実施の形態を説明する。
色違い・デザイン違いの長方形状の二種類の大判ストールの生地Ａ（１）・生地Ｂ（２）各々の長辺の一つ同士が接続された形であるが、接続ラインの中央から長手端へ向かって縫合された結合部は、連続的ではなく、断続的に中心から両端へ対称的に、長短異なる長さで、中央部の縫結合部Ｉ（３）から縫結合部ＩＩ（４）から縫結合部ＩＩＩ（５）から末端の縫結合部ＩＶ（６）が形成されているのであって、各々の縫結合部相互間の非縫合部は、大小異なる開口部になっており、縫結合部Ｉと縫結合部ＩＩとの間隔は大きく、袖通し開口部（７）を成し、縫結合部ＩＩと縫結合部ＩＩＩとの間隔及び縫結合部ＩＩＩと縫結合部ＩＶとの間隔は共に小さく、左右相互に対称側の長手端をくぐり通すための先端交互通し開口部（８ａ，８ｂ）を成す。
なお、先端交互通し開口部（８）については、左右夫々２か所ずつに限る必要はなく、設計上は更に増やしても支障はない。
本発明は、以上のような構成であり、以下その多様な使用方法について説明する。
（イａ）Ａ生地（１）を襟にし、袖通し開口部（７）に腕を通し、ボレロ風に羽織る。
（イｂ）Ｂ生地（２）を襟にし、袖通し開口部（７）に腕を通し、ボレロ風に羽織る。
（ロａ）Ａ生地（１）を襟にし、袖通し開口部（７）に腕を通し、Ａ生地の先端を先端交互通し開口部（８ａ）に通し前で一結びし、ボレロ＆スカート風にする。
（ロｂ）Ｂ生地（２）を襟にし、袖通し開口部（７）に腕を通し、Ｂ生地の先端を先端交互通し開口部（８ａ）に通し前で一結びし、ボレロ＆スカート風にする。
（ハａ）Ａ生地（１）を襟にし、袖通し開口部（７）に腕を通し、Ｂ生地（２）を前で一結びする。
（ハｂ）Ｂ生地（２）を襟にし、袖通し開口部（７）に腕を通し、Ａ生地（１）を前で一結びする。
（ニａ）Ａ生地（１）を襟にし、袖通し開口部（７）に腕を通し、Ａ生地（１）とＢ生地（２）の先端をそれぞれ一結びにし、２段前一結びとする。
（ニｂ）Ｂ生地（２）を襟にし、袖通し開口部（７）に腕を通し、Ａ生地（１）とＢ生地（２）の先端をそれぞれ一結びにし、２段前一結びとする。
（ホａ）Ａ生地（１）を襟にし、袖通し開口部（７）に腕を通し、２色（２柄）のロングベスト風に羽織る。
（ホｂ）Ｂ生地（２）を襟にし、袖通し開口部（７）に腕を通し、２色（２柄）のロングベスト風に羽織る。
（ヘａ）Ａ生地（１）を襟にし、袖なしチュニック風に羽織り、Ａ生地の先端を前で一結びする。
（ヘｂ）Ｂ生地（２）を襟にし、袖なしチュニック風に羽織り、Ｂ生地の先端を前で一結びする。
（トａ）Ａ生地（１）を襟にし、ロングベスト風に羽織り、Ｂ生地（２）の先端を後ろで一結びする。
（トｂ）Ｂ生地（２）を襟にし、ロングベスト風に羽織り、Ａ生地（１）の先端を後ろで一結びする。
（チａ）Ａ生地（１）を襟にし、ロングベスト風に羽織り、Ｂ生地の両先端を、それぞれ反対側の先端交互通し開口部（８ａ）に通してから、さらに先端交互通し開口部（８ｂ）にも通し、サッシュベルト風にする。
（チｂ）Ｂ生地（２）を襟にし、ロングベスト風に羽織り、Ａ生地の両先端を、それぞれ反対側の先端交互通し開口部（８ａ）に通してから、さらに先端交互通し開口部（８ｂ）にも通し、サッシュベルト風にする。
（リａ）Ａ生地（１）を襟にし、前側から袖通し開口部（７）に腕を通し、袖あり状態でＡ生地先端を後ろ側で一結びしてプルオーバーブラウス風にする。
（リｂ）Ｂ生地（２ａ）を襟にし、前側から袖通し開口部（７）に腕を通し、袖あり状態でＢ生地先端を後ろ側で一結びしてプルオーバーブラウス風にする。
（ヌａ）Ａ生地（１）を襟にし、前側から袖通し開口部（７）に腕を通し、ノースリーブヨーク襟ブラウス風状態で、Ａ生地（１）先端を後ろ側で、先端交互通し開口部（８ａ）に通し一結びする。
（ヌｂ）Ｂ生地（２）を襟にし、前側から袖通し開口部（７）に腕を通し、ノースリーブヨーク襟ブラウス風状態で、Ｂ生地（１）先端を後ろ側で、先端交互通し開口部（８ａ）に通し一結びする。
（ルａ）Ａ生地（１）が上部になるように背中側から脇の下を通すように巻き付けてパレオ止めを使用せずに先端交互通し開口部（８ａ）にＡ生地（１）の両先端を交互にそれぞれ通し前で交差させて首の後ろで結びパレオドレス風にする。
（ルｂ）Ｂ生地（１）が上部になるように背中側から脇の下を通すように巻き付けてパレオ止めを使用せずに先端交互通し開口部（８ａ）にＢ生地（２）の両先端を交互にそれぞれ通し前で交差させて首の後ろで結びパレオドレス風にする。
（ヲａ）Ａ生地（１）を上部にして腰に巻き、袖通し開口部（７）にＡ生地（１）の両先端を交互にそれぞれ通し、前や横などで一結びし、ロングスカート風にする。
（ヲｂ）Ｂ生地（２）を上部にして腰に巻き、袖通し開口部（７）にＢ生地（２）の両先端を交互にそれぞれ通し、前や横などで一結びし、ロングスカート風にする。
（ワａ）Ａ生地（１）とＢ生地（２）の長辺を中心に半分に折りＡ生地を襟にし、袖を通さず羽織り、Ｂ生地の先端を反対側の袖通し開口部（７）に通し、さらに先端交互通し開口部（８ａ）と先端交互通し開口部（８ｂ）に通し、ラップがあるカシュクールブラウス風にする。
（ワｂ）Ａ生地（１）とＢ生地（２）の長辺を中心に半分に折りＢ生地を襟にし、袖を通さず羽織り、Ａ生地の先端を反対側の袖通し開口部（７）に通し、さらに先端交互通し開口部（８ａ）と先端交互通し開口部（８ｂ）に通し、ラップがあるカシュクールブラウス風にする。
（カａ）Ａ生地（１）が表に出るように長辺を中心に二つ折りにしてマフラーのように首にかけ片方の先端を袖通し開口部（７）に通し、前で交差させて両端を両肩に振り分け肩にかける。
（カｂ）Ｂ生地（２）が表に出るように長辺を中心に二つ折りにしてマフラーのように首にかけ片方の先端を袖通し開口部（７）に通し、前で交差させて両端を両肩に振り分け肩にかける。
（ヨ）Ａ生地（１）とＢ生地（２）の両方の生地が見えるようにねじりながら片方の先端を袖通し開口部（７）に通し、前で交差させて両端をねじりながら振り分けて両肩にかける。
（タａ）Ａ生地（１）とＢ生地（２）の長辺を中心に二つ折りにし、Ａ生地（１）を襟にし、首にかけ片方を長めにし、Ａ生地先端を袖通し開口部（７）に通し首に一周回し、もう一度袖通し開口部（７）に通してマフラーの二周巻き風にする。
（タｂ）Ａ生地（１）とＢ生地（２）の長辺を中心に二つ折りにし、Ｂ生地（２）を襟にし、首にかけ片方を長めにし、Ａ生地先端を袖通し開口部（７）に通し首に一周回し、もう一度袖通し開口部（７）に通してマフラーの二周巻き風にする。
（レａ）Ａ生地（１）を襟にし、袖通し開口部（７）に交互にＡ生地（１）の先端とＢ生地（２）の先端を通して編み込みネクタイ風にする。
（レｂ）Ｂ生地（２）を襟にし、袖通し開口部（７）に交互にＡ生地（１）の先端とＢ生地（２）の先端を通して編み込みネクタイ風にする。
（ソａ）Ａ生地（１）とＢ生地（２）の長辺を中心に二つ折りにし、Ａ生地（１）を左肩にかけ、Ａ生地（１）後ろ先端を背中側から一周回し、お腹の位置ぐらいで先端交互通し開口部（８ａ）に通し、さらに先端交互通し開口部（８ｂ）に通し、サリー風にする。
（ソｂ）Ａ生地（１）とＢ生地（２）の長辺を中心に二つ折りにし、Ｂ生地（２）を左肩にかけ、Ｂ生地（２）後ろ先端を背中側から一周回し、お腹の位置ぐらいで先端交互通し開口部（８ａ）に通し、さらに先端交互通し開口部（８ｂ）に通し、サリー風にする。
【符号の説明】
【０００９】１    Ａ生地
２    Ｂ生地
３    縫結合部Ｉ
４    縫結合部ＩＩ
５    縫結合部ＩＩＩ
６    縫結合部ＩＶ
７    袖通し開口部
８ａ  先端交互通し開口部
８ｂ  先端交互通し開口部
【図１】
2018003224.tif 000003
【図２】
2018003224.tif 000004
【図２】
2018003224.tif 000005
【図２】
2018003224.tif 000006
【図２】
2018003224.tif 000007
【図２】
2018003224.tif 000008
【図２】
2018003224.tif 000009